(57)【要約】  シャトルコックを提供する。本発明によるシャトルコックは、光源を内部に収容する光源固定モジュールと、前記光源固定モジュールと締結されて前記光源に電源供給を実施するバッテリーで構成される発光器を備え、通常のシャトルコック羽根と頭部の間に形成された排気孔に前記発光器を挿入締結したり、締結解除を行えることで、前記発光器の点灯・消灯を容易に行うことができ、前記発光器だけを切り替えたり、維持補修が可能であり、夜間にもシャトルコックの頭部、羽根及び、側方から光の発散ができるので、どの位置でも容易に認知できる効果があるシャトルコックに関するものである。
2007521083.tif 000002
【特許請求の範囲】
【請求項１】
内部に空間部(42)を持つ頭部(40);
その一端が前記空間部(42)に挿入される挿入端(27)と、前記挿入端(27)の外径上に突設され、前記空間部(42)を形成する頭部の内壁面上に強制嵌合して締結される引掛部材(21)と、前記挿入端(27)を水平に仕上げる隔壁(60)と、前記隔壁(60)を貫通する排気孔(22)を備える羽根(20);
バッテリー(51)と、光源(50)を内部に収容して前記バッテリー(51)の一端が挿入され、前記光源(50)と電気的接点、及び接点解除を行うカップ上の光源固定モジュール(71)を備える発光器(70);
を含むことであり、前記光源固定モジュール(71)、及びバッテリー(51)が前記羽根(20)から前記頭部(40)方向に進入し、前記空間部(42)内部に収容されて、前記バッテリー(51)の所定部位面が前記排気孔(22)と強制嵌合して結合され、前記羽根(20)から着脱できるようになっている発光器(70)を含むことを特徴とするシャトルコック。
【請求項２】
請求項１において、
一定の長さになっており、その一側端部に前記バッテリー(51)の一端が挿入される固定溝(31)と、前記固定溝(31)を形成する外径上にねじ山、または多数の凹部から選択構成され、前記排気孔(22)と着脱可能に強制嵌合して締結される締結部(34)と、前記締結部(34)の上方に所定面積側方に延長された面積を有することで、前記排気孔(22)を形成する隔壁(60)上に掛って支持される係止突起(37)と、前記係止突起(37)の上方が前記羽根(20)の内部に位置する取っ手(33)を備える固定具(30)をさらに含むことを特徴とするシャトルコック。
【請求項３】
請求項１において、前記隔壁(60)には、
前記排気孔(22)の周りに沿って、一定の間隔で一つ以上の通孔(61)が穿孔されることを特徴とするシャトルコック。
【請求項４】
請求項１において、前記発光器(70)は、
一端に正極端子部(51a)が突設され、これと接する上端の外径上に凹凸形状の負極端子部(51b、51c)が備わる前記バッテリー(51);
前記光源(50)の正極端子部(50a)に至るまで穿孔され、前記バッテリー(51)の正極端子部(51a)が挿入される端子挿入溝(71b)と、内径(71c)所定部位面に前記光源(50)の負極端子部(50b)が埋設される前記光源固定モジュール(71);
で形成され、前記光源固定モジュール(71)が前記バッテリー(51)に対して上下方、可変位することにより、前記負極端子部(50b、51b)が電気的接点を形成した状態で前記正極端子部(50a、51a)が電気的接点を形成することにより、点灯または消灯することを特徴とするシャトルコック。
【請求項５】
請求項１または２において、
前記隔壁(60)が省略、構成された挿入端(27)の内径として雌ねじ形状の締結部(23)が具備されて;
前記固定具(30)には、その一端が前記締結部(23)と対応する面積として拡張した面積を有するが、一側面に多数の重さ減少溝(32)が備わって、その外径上に前記締結部(23)とねじ締結を形成する雄ねじ形状の締結部(34)を備えることを特徴とするシャトルコック。
【請求項６】
請求項１ないし請求項４のいずれか一つの項において、
前記光源固定モジュール(71)の内径(71c)には、一つ又は、一つ以上の段差部(71d)が具備されて、凹形状の前記負極端子部(51c)と電気的接点、及び接点解除を行い;
前記固定具(30)には、 所定部位面上にはスクラッチパターン(80)がさらに備えることを特徴とするシャトルコック。
【請求項７】
請求項１ないし請求項４のいずれか一つの項において、
前記固定具(30)は、前記固定溝(31)と隣接する外径上に所定形状に横方に突き出された一つ、又は、その以上の引掛部材(38)をさらに備えて、透光素材、半透光素材から選択され;
前記羽根(20)の排気孔(22)は、前記引掛部材(38)と同一形状で切り取り穿孔された切り取り部(22a);
をさらに備えることを特徴とするシャトルコック。
【請求項８】
請求項１または請求項２において、
前記隔壁(60)中、前記頭部と対向する部位面には、前記排気孔(22)の内径が下方延長できるように下方に突き出された円筒上の固定具装着部(24);
前記固定具装着部(24)の前記排気孔(22)の内径上に雌ねじ形状の締結部(23);
前記固定具(30)中、前記締結部(23)と対応する外径上に雄ねじ形状の締結部(34)をさらに備えて、前記締結部(23 34)が互いにねじ締結を形成することを特徴とするシャトルコック。
【発明の詳細な説明】
【技術分野】
【０００１】
本発明は、シャトルコックに関するものであり、特に、昼間と夜間使用が可能であり、どの位置でもシャトルコックを容易に認知できるように光の発散効率を改善することはもちろん、発光器の維持補修及び切替の容易性、及び通常のシャトルコックに適用可能な発光器、及び前記発光器を備えるシャトルコックに関するものである。
【背景技術】
【０００２】
周知のように、羽根と頭部で構成される通常のシャトルコックは、前記羽根が羽毛で構成され、前記頭部がコルク(cork)で構成された競技用シャトルコックと、前記羽根が合成樹脂材で形成されて前記頭部が所定の弾性度を持つ樹脂材に形成された普及型シャトルコックに大別される。
【０００３】
前記競技用シャトルコックは風の影響に敏感な特性上、主に室内で行われる場合が多く、耐久性が弱いので、ほとんど使い捨てとして使用されているなどの短所があった。
【０００４】
前記普及型シャトルコックは、前記の競技用シャトルコッと比べてみると、すぐれた耐久性と風の影響に強いので、外でも使用できるという長所があるが、重量が重くて飛距離が長いので、より広い空間で使用するしかないという短所があった。
【０００５】
このような問題点を解消するために、最近に製造される普及型シャトルコックは、図１のように重量を減らして、適正な飛距離になるように頭部(40)の内部に空間部(42)を構成して、羽根(20)と前記頭部(40)が結合される部位面に排気孔(22)を形成し、前記空間部(42)と前記排気孔(22)が互いに連動した構成を持ち、前記頭部(40)に打撃時、前記空間部(42)上にある空気が、前記排気孔(22)から排出されるように構成され、前記頭部(40)が適正な弾性度を維持すると同時に、空間部(42)にある空気と打撃力による反発力による前記頭部(40)の損傷防止を図ることにより、適正な飛距離になるように製造されている。
【０００６】
しかし、これら通常のシャトルコックは、夜間には使用できなかったという短所をある。
【０００７】
これを解決するための従来技術としては、韓国登録実用新案公報 “第20-0339140号”の“シャトルコック”(以下、“従来技術１”とする) 韓国登録実用新案公報 “第20-0197127号”の “発光手段を持つシャトルコック”(以下、“従来技術２”とする) 韓国登録実用新案公報 “第20-0327611号”の “両方向発光が可能なシャトルコック”(以下、“従来技術３”とする)が開始されたことがある。
【０００８】
前記従来技術１は、シャトルコックの頭部内部に LEDを装着できるように挿入孔が形成され、前記挿入孔の内部に前記 LEDを固定する基板、及びバッテリー収納部を構成して、頭部の上面ではねじ山を形成して、これとねじ結合を成す別途のキャップを備えて、前記キャップによって前記バッテリーなどの構成物を外部から密閉させる構成を有するものであった。しかし、前記キャップの紛失の心配があったし、キャップを紛失した場合は、バッテリーなどが外部へ流出されてしまうので、事実上の使用が不可能であったし、実質的に前記頭部の内部に成し遂げようとする目的構成物がみんな構成されているので、前記の頭部が破損された場合は、これを廃棄処分しなければならなかった。また、前記のように頭部の内部に基板、及びバッテリー収納部を構成するには、その製造工程が容易ではないので、安い製造原価を提供できないという問題点が発生した。
【０００９】
また、従来技術２は、印刷回路基板で構成される通電手段、前記通電手段と電気的に繋がる端子、端子と電気的接点を形成するバッテリー、前記通電手段と電気的に繋がる発光手段、スプリング端子、及び前記スプリング端子を内部に収容する形態に製作されたカップ型端子などの構成物が、頭部の内部に形成された空間部に安着されて、前記頭部の空間部を形成する内径上に雌ねじが形成され、ここに対応する羽根固定部上に雄ねじを形成して、前記頭部と羽根固定部が互いにねじ締結を実現できるように構成されるもので、頭部に打撃が加わった場合、前記スプリング端子が振動し、前記カップ型端子と電気的接点が形成され、前記発光手段に電源供給を行うことで、発光するようになっている技術思想を持つものである。しかし、前記のように形成された従来技術２は、その重量が通常のシャトルコックに比べると、顕著に増加するしかない構成的結合があって、スプリング端子、カップ型端子などを通電手段上に構成しなければならなかったので、容易な製作が不可能であるという問題点が発生した。
【００１０】
一方、従来技術３は、頭部の内部に形成された空間部に挿入されて安着されることで、発光部材と一つ以上の補助発光部材が印刷回路基板の底面と上面にそれぞれ配置され、これらは衝撃スィッチから打撃による衝撃が感知される時に前記発光部材と補助発光部材で電源供給を行えるように回路設計され、前記頭部を打撃する場合、シャトルコックの打撃者と受ける人とともにシャトルコックの移動軌跡を確認可能な技術思想を持つものであった。しかし、多数の発光部材、印刷回路基板、衝撃スィッチなどを構成してこそ、本来の機能を発揮するので、高価の製造原価が必要となり、また、先に述べた従来技術２のように重量的限界性を克服しにくい発明である。これといっしょに、従来技術１及び３は、共にシャトルコックの特定部位が損傷した場合に、シャトルコック全部を廃棄しなければならない短所があり、従来技術２は羽根固定部と頭部、及び通電手段などが分離可能な構成を持ってはいるが、これは一組だけ製作するしかないので、通常のシャトルコックに適用できないので、特定部品の切り替えなどの維持補修時に、必ず当該の製作者によって製造されたシャトルコックを購入しなければならないという不便さがあった。
【発明の開示】
【発明が解決しようとする課題】
【００１１】
したがって、光源とバッテリーなどで構成される発光器が、通常のシャトルコックでも連結適用されなければならないし、着脱ができることによって、切り替えなどの維持補修が容易な構成でなければならないし、夜間使用において頭部側はもちろん、シャトルコックのいろいろな角度からも観察できるようにその視認性を高めることができ、消費全力を最小化することは勿論、使用者の意図によって発光器のオン・オフ(ON/OFF)が容易に設計しなければならないし、特に簡易化された構成になって製造原価を大幅に低減できるシャトルコックの出現が要求されて来た。
【課題を解決するための手段】
【００１２】
本発明は、前述した問題点を解消することで、提起された要求条件を果たすために案出したものでり、発光器を構成するにあたって、光源が収納構成されて前記光源と正極端子、及び負極端子がバッテリーの当該の端子と容易な接点、及び接点解除できるように形成されたカップ上の光源固定モジュールと；前記バッテリーの所定外周面が、通常のシャトルコック羽根に形成された排気孔と強制嵌合して結合できるように形成されて、シャトルコックを使用時、前記排気孔から離脱防止を図られる締結構造と、前記バッテリーの末端部位がシャトルコック羽根の内部で後方突出によって使用者がこれを把持し、羽根から締結または締結解除を簡単に行える発光器、及び前記発光器が採用されたシャトルコックを提供することをその目的とする。
【００１３】
本発明の他の目的は、バッテリーの一端が挿入され、先に述べたように排気孔と締結可能な構成、及び取手が構成され、透光性素材で形成される固定具をさらに備え、また、前記固定具の特定外周面にスクラッチパターンを形成し、光源から入る光の集光、及び散乱作用によって光拡散、及び集光作用による光の発散効率を高め、視認性を改善したシャトルコックを提供することにある。
【００１４】
本発明のまた他の目的は、多様な締結形態で製作されるが、同じ構成物に対しては同じ規格として製造することにより、これらの互いに切り替え作業などの維持補修ができることにより、使用者の便宜性を大きく高めることができるシャトルコックを提供することにある。
【発明の効果】
【００１５】
したがって、通常のシャトルコックに適用可能であり、その構造が簡単で消費電力を最小化するとともに、発光効率を高め、優れる視認性を有する発光器、及び前記発光器が採用されたシャトルコックを提供できるという効果がある。
【発明を実施するための最良の形態】
【００１６】
添付図面に描かれている本発明の好ましい実施形態、実施例を詳細に説明する。
【００１７】
本考案によるシャトルコックの構成としては、内部に空間部(42)を持つ頭部(40);その一端が前記空間部(42)に挿入される挿入端(27)と、前記挿入端(27)の外径上に突設され、前記空間部(42)を形成する頭部の内壁面上に強制嵌合して締結される引掛部材(21)と、前記挿入端(27)を水平に仕上げる隔壁(60)と、前記隔壁(60)を貫通する排気孔(22)を備える羽根(20);バッテリー(51)と、光源(50)を内部に収容して前記バッテリー(51)の一端が挿入され、前記光源(50)と電気的接点、及び接点解除を行うカップ上の光源固定モジュール(71)を備える発光器(70); を含むことであり、前記光源固定モジュール(71)、及びバッテリー(51)が前記羽根(20)から前記頭部(40)方向に進入し、前記空間部(42)内部に収容されて、前記バッテリー(51)の所定部位面が前記排気孔(22)と強制嵌合して結合され、前記羽根(20)から着脱できるようになっている発光器(70)を含む構成的特徴を持つ。
【００１８】
また、一定の長さになっており、その一側端部に前記バッテリー(51)の一端が挿入される固定溝(31)と、前記固定溝(31)を形成する外径上にねじ山、または多数の凹部から選択構成され、前記排気孔(22)と着脱可能に強制嵌合して締結される締結部(34)と、前記締結部(34)の上方に所定面積側方に延長された面積を持つことで、前記排気孔(22)を形成する隔壁(60)上に掛って支持される係止突起(37)と、前記係止突起(37)の上方が前記羽根(20)の内部に位置する取手(33)を備える固定具(30)をさらに含むことが好ましい。
【００１９】
そして、前記隔壁(60)には、前記排気孔(22)の周りに沿って、一定の間隔で一つ以上の通孔(61)が穿孔されることが好ましい。
【００２０】
一方、前記発光器(70)は、一端に正極端子部(51a)が突設され、これと接する上端外径上に凹凸形状の負極端子部(51b、51c)が備わる前記バッテリー(51); 前記光源(50)の正極端子部(50a)に至るまで穿孔され、前記バッテリー(51)の正極端子部(51a)が挿入される端子挿入溝(71b)と、内径(71c)所定部位面に前記光源(50)の負極端子部(50b)が埋設される前記光源固定モジュール(71); で形成され、前記光源固定モジュール(71)が前記バッテリー(51)に対して上下方、可変位することにより、前記負極端子部(50b、 51b)が電気的接点を形成した状態で前記正極端子部(50a、51a)が電気的接点を形成することにより、点灯または消灯することが好ましい。
【００２１】
また、前記隔壁(60)が省略、構成された挿入端(27)の内径として雌ねじ形状の締結部(23)が具備されて; 前記固定具(30)には、その一端が前記締結部(23)と対応する面積として拡張した面積を持つが、一側面に多数の重さ減少溝(32)が備わって、その外径上に前記締結部(23)とねじ締結を形成する雄ねじ形状の締結部(34)を備えることが好ましい。そして、前記光源固定モジュール(71)の内径(71c)には、一つ又は、一つ以上の段差部(71d)が具備されて、凹形状の前記負極端子部(51c)と電気的接点、及び接点解除を行い; 前記固定具(30)には、所定部位面上にはスクラッチパターン(80)がさらに備えることが望ましい。
【００２２】
一方、前記固定具(30)は、前記固定溝(31)と隣接する外径上に所定形状に横方突き出された一つ、又は、その以上の引掛部材(38)をさらに備えて、透光素材、半透光素材から選択され; 前記羽根(20)の排気孔(22)は、前記引掛部材(38)と同一形状で切り取り穿孔された切り取り部(22a); をさらに備えることが望ましい。
【００２３】
これといっしょに、前記隔壁(60)中前記頭部と対向する部位面には、前記排気孔(22)の内径が下方延長できるように下方突き出された円筒上の固定具装着部(24); 前記固定具装着部(24)の前記排気孔(22)の内径上に雌ねじ形状の締結部(23); 前記固定具(30)中前記締結部(23)と対応する外径上に雄ねじ形状の締結部(34)をさらに備えて、前記締結部(23 34)が互いにねじ締結を形成することが好ましい。
【００２４】
ここで 、通常のシャトルコックとは、先に述べた事がある競技用シャトルコック及び、普及型シャトルコックのことであり、その主要構成物である排気孔が形成された隔壁を持つ羽根、そして、内部に空間部を有する頭部を全て備える状態のシャトルコックを意味することであり、また本発明によるシャトルコックが競技用シャトルコックに適用された場合は、前述したことがある従来技術２の特定構成物、すなわち、羽根固定部と頭部が相互ねじ締結を形成し、羽根が損傷した場合は、羽根部分だけを切り替え、使用できるように製作することもでき、これは本発明の主張しようとする特徴的構成部分に該当しないので、詳しいことは省略する。
【００２５】
以下、添付した図面を参照して本考案の好ましい実施例を詳しく述べることにする。但し、これらの実施例は例示的な目的であり、本考案の技術的思想がこれらの実施例から限定されるものではない。
【実施例１】
【００２６】
図２は、本発明によるシャトルコック(10)の分解斜視図、図３は本発明によるシャトルコック(10)の結合断面図、 図４は本発明による発光器(70)の分解斜視図、図５は、図４の A-A'線断面図である。
【００２７】
図２乃至図５をよくみると、本発明によるシャトルコック(10)は、先に述べた事がある通常の普及型シャトルコック、すなわち、内部に空間部(42)が形成され、その上端が狭い内径を有することから形成される短辺(41)を備える頭部(40);前記空間部 (42)に挿入されて前記短辺(41)に掛って支持される引掛部材(21)を備える挿入端(27)、前記挿入端(27)の上端面を仕上げる隔壁(60)、及び前記隔壁(60)を垂直に貫通する排気孔(22)を備える羽根(20);で構成される。
【００２８】
ここで、前記排気孔(22)より小さな外径を有し、内部に光源(50)が収納された構成を有するカップ上の光源固定モジュール(71)と、前記光源固定モジュール(71)の一端に挿入されて前記光源(50)に電源を供給する正極端子部(51a)、及び負極端子部(51b)を備えるバッテリー(51)及び、前記バッテリー(51)の一端を収容するロードの形状の固定具(30)で形成された発光器(70)が具備されて、前記排気孔(22)に強制嵌合して締結され、前記光源固定モジュール(71)が前記頭部(40)の空間部(42)に進入、及び収容される締結構成を有する。
【００２９】
これをさらに詳しく述べれば、前記光源固定モジュール(71)は、カップ上のボデー(71a)と、前記ボデー(71a)の頂門の内部に前記光源(50)が収納された構成を有する。ここで、前記光源(50)の正極端子部(50a)と負極端子部(50b)が連結されることから、前記正極端子部(50a)は、前記ボデー(71a)の中央部位面に位置するように埋設され、前記埋設された正極端子部(51a)と対応する前記ボデー(71a)の所定部位が前記正極端子部(51a)に至るまで穿孔された端子挿入溝(71b)が形成される。そして前記ボデー(71a)の内径(71c)所定部位には、前記バッテリー(51)の外径に具備される凸形状の負極端子部(51b)と互いに触れ合うように前記光源(50)と電気的に連結された負極端子部(51b)が構成される。ここで前記バッテリー(51)は、図４のようにバッテリー(51)の一端から突き出された正極端子部(51a)と、バッテリー(51)の上側、外径上に凹凸作用による凸形状の凸形負極端子部(51b)と、凹形状の凹形負極端子部(51c)で構成されることから、前記バッテリー(51)の負極端子部(51b、51c)は、前記光源固定モジュール(71)の内径(71c)に挿入され、前記光源(50)から引き出された負極端子部(50b)と電気的接点を形成した状態で、前記バッテリー(51)が前記光源固定モジュール(71)の内径(71c)にさらに入ることで、バッテリー(51)の正極端子部(51a)が前記光源固定モジュール(71)の端子挿入溝(71b)に挿入され、前記光源(50)から引き出された正極端子部(50a)と電気的接点を形成することで、光源(50)が点灯される作動原理を有する。
【００３０】
一方、前記固定具(30)は、ロードの形状のボデーを有し、その一側端に前記バッテリー(51)の正極端子部(51a)を備えない他側末端が挿入収容される固定溝(31)が形成され、 前記一側端の外径上にねじ山、または一定の間隔で突設される多数の凹部などで構成される締結部(34)が、前記羽根側(20)の排気孔(22)を形成する隔壁(60)の厚さより長く形成され、前記締結部(34)の上方外周面へ横方向延長されて拡張された面積を有する係止突起(37)を備えて、前記係止突起(37)の上方には使用者が把持しやすい長さと形状に形成された取手(33)が構成される。
【００３１】
前記した構成になっている本発明によるシャトルコック(10)の作用効果をよく見れば、使用者は発光器(70)の取手(33)を把持した状態で光源固定モジュール(71)をバッテリー(51)方向へ加圧作用を施して、バッテリー(51)の端子部(51a、51b)が光源(50)の端子部(50a、50b)と互いに電気的接点を形成するように設定することで、光源(50)が点灯するように設定する。この場合、前記負極端子部(50b、51b)は、互いに電気的接点を形成した状態であり、前記のように光源固定モジュール(71)の加圧作用により、光源(50)とバッテリー(51)の正極端子部(50a、51a)が相互電気的接点を形成する作動原理を有する。
【００３２】
以後、使用者は前記のように取手(33)を把持した状態で、シャトルコック羽根(20)の内部後面から頭部(40)方向に前記発光器(70)を進入させて、前記固定具(30)側、締結部(34)を前記排気孔(22)に強制嵌合して挿入を施し、前記固定具(30)の係止突起(37)が前記排気孔(22)を形成する隔壁(60)上にかかって支持されるように締結させる。
【００３３】
したがって、前記光源 (50)の点灯作用により、シャトルコック頭部(40)が発光を開始するので、照明効果を得ることができ、以後使用者が発光器(70)を消灯したい場合は、前記の逆動作を行うことにより、光源(50)の消灯を行える。したがって、シャトルコックの使用において照明効果が必要ない昼間などには、本発明による発光器(70)をシャトルコックから分離しても使用できるし、照明が必要な場合は、前記のように簡単な作動原理によって望む照明効果を得ることができる。
【００３４】
望ましくは、本発明による発光器(70)を構成するにあたって、光源(50)は発光効率が良く、消費電力の少ないＬＥＤを採用することが望ましい。バッテリー(51)は、重量と体積が小さいリチウムイオンバッテリーを採用することが望ましいが、体積と重量が小さく、長時間使用が可能な形態のものは全てがここに適用可能である。また、前記固定具(30)は透光素材で形成し、シャトルコック頭部(40)から反射した光を羽根(20)の後方、及び側方へ所定の光発散できるようにし、バドミントンを楽しむプレーヤーはもちろん、これを見守る人々みんながシャトルコックの飛行軌跡を確認できるように構成することが望ましい。また、前述した光源固定モジュール(71)を製造するにあたって、前記光源(50)及び端子部(50a、50b)を先に述べたように特定部位に位置づけるように設定した状態で射出工程によって、前記ボデー(71a)と光源(50)などを一体に形成し、製造原価を低減することが望ましい。
【実施例２】
【００３５】
図６は本発明による発光器(70)の他の例を図示した分解斜視図、図７は図６の B-B'線断面図として、先に述べた第１実施例の構成を借用するが、シャトルコックの羽根の側方、及び後方への発光効率を改善した発光器(70)を例示している。
【００３６】
図６及び図７をよく見ると、発光器(70)は、固定具(30)の特定部位面上にスクラッチパターン(80)が形成し、光源固定モジュール(71)を形成するボデー(71a)、及び前記ボデー(71a)の内径(71c) 上に一つまたはその以上の段差部 (71d)を形成した構成を有する。
【００３７】
これを具体的に説明すれば、前記光源固定モジュール(71)は、図７に図示したように、先に述べた第１実施例と類似の構成を有するが、光源(50)を内部に含むボデー(71a)の特定部位が溝形状のように所定の曲率半径を有する形状に形成され、前記ボデー(71a)を形成する内径(71c)上に凹部、またはねじ山の形状に具現される多数の段差部(71d)が形成された構成的特徴を持つ。
【００３８】
また、前記固定具(30)は、取手(33)及び・または固定溝(31)を有する一側断面上に所定形状にスクラッチパターン(80)が形成され、前記固定具は透光素材及び・または半透光素材から選択構成される。
【００３９】
その作用効果をよく見ると、前記光源固定モジュール(71)のボデー(71a)内径(71c)上に形成された多数の段差部(71d)は、先に述べたバッテリー(51)の凹形負極端子部(51c)と対応する大きさで構成することで、図７のように光源固定モジュール(71)の内径(71c)下方に位置する段差部(71d)と、前記バッテリー(51)の凹形負極端子部(51c)が凹凸結合を形成すると、前記バッテリー(51)の正極端子部(51a)が光源(50)の正極端子部(50a)と電気的接点が形成できない状態に設定され、光源固定モジュール(71)の加圧作用によって、前記内径(71c)の上方に位置する段差部(71d)に前記バッテリー(51)の凹形負極端子部(51c)の挿入が行われると、前記バッテリー(51)と光源(50)の正極端子部 (50a、51a)が互いに電気的接点を形成することにより、光源(50)が点灯される作動原理を有する。したがって、前記光源固定モジュール(71)が前記バッテリー(51)からの離脱防止を図ることができ、点灯と消灯を触感で確認できるという効果がある。
【００４０】
この場合、前記のように光源(50)が点灯されると、光源固定モジュール(71)を形成するボデー(71a)が溝形状として横方拡張された構成を有するから、光源(50)から出射される光がいろいろな角度（特に、後方の羽根方向）)から光拡散が生じて、シャトルコック頭部(40)の空間部(42)から反射した光が、前記固定具(30)の固定溝(31)を形成する一端面上に形成されたスクラッチパターン(80)に入射し、取手(33)方向に光の散乱、及び屈折が起こることにより、取手の末端面に至ってからは、より多くの光量が出る。以後、前記スクラッチパターン(80) などを通った光は、取手(33)の外径上に一定の間隔で形成したスクラッチパターン(80)に入射され、スクラッチ(81)が形成されない面を向けて、スクラッチ(81)に集光された光が発光するので、より多く発光することから、一つの光源(50)を利用して頭部(40)は勿論、羽根(20)の後方及び側方まで光拡散及び集光を行って、シャトルコック(10)全体が一つの照明のように光を発散するので、視認性をさらに改善できる効果がある。
【実施例３】
【００４１】
図８は本発明による固定具(30)のまた他の例を図示した斜視図として、前述した第２実施例と類似の構成を有するが、取手(33)の末端部がさらに増加した面積を持つように形成し、その外周面上に螺旋形状のスクラッチ(81)を形成することにより、把持が容易でシャトルコックの飛行において、審美感をより高めることが出来る構成を例示している。また、図８では、取手(33)の形状が円錐形状に図示されているが、いろいろな形態で製造が可能であることは勿論である。これといっしょに、図８に図示された締結部(34)は、係止突起(37)と前記係止突起(37)から前述した隔壁(60)の厚さと、同じ間隔ぐらいの距離で横方延長突き出された係止突起のような役割を果すので、排気孔(22)と強制嵌合して締結されるように形成された構成を例示した。
【実施例４】
【００４２】
図９は、本発明による固定具(30)のまた他の変形の例を図示した斜視図、図１０は、図９の固定具(30)が締結された状態の部分拡大断面図、及び固定具(30)が装着されるための本発明によるシャトルコック(10)の後面図であり、第１乃至第３実施例に開始されたシャトルコックの構成をそのまま借りて使用するが、固定具(30)及びこれと締結される羽根(20)に形成された排気孔(22)を構成するにあたって、固定具の挿入及びスライディングロック・ロック解除を行うように構成されたことを例示している。
【００４３】
図９及び図１０をよく見れば、固定具(30)の一端、すなわち、バッテリー(51)が固定される固定溝(31)の外径上に所定形状と、所定面積で横方突き出された引掛部材(38)が形成されることから、図示したように引掛部材(38)は、有隔部(39)の間に上側の引掛部 (38a)と下側の引掛部 (38b)で形成され、前記有隔部(39)は、先に述べた羽根(20)の隔壁(60)と同じ厚さで形成される構成的特徴を持つ。その締結原理をよく見れば、羽根(20)に構成された隔壁(60)も、前記有隔部(39)の直径と類似の大きさで穿孔された中空(22a)、及び前記中空(22a)中、前記引掛部材(38)と対応する部位が同じ形状と大きさとして切り取り構成された切り取り部(22b)が具備されて、図１０のような締結断面を持つ。
【００４４】
これをより具体的に説明すれば、前記固定具(30)に形成された前記引掛部材(38)と、前記排気孔(22)の形状を一致させた後、前記固定具(30)を前記排気孔(22)に進入し、固定具(30)を時計方向または反時計方向に回動させ、前記引掛部材(38)が隔壁(60)の内部面上に支持されるように締結する。勿論、前記固定具(30)の締結解除方法は前記の逆動作を行うことにより、容易に締結解除を行うことができる。
【００４５】
このような締結原理は、前述した第１乃至第３実施例の締結方式、すなわち、固定具(30)と排気孔(22)の強制嵌合の結合による耐久性の低下を防止できることは勿論、その結束力を高めて、締結及び締結解除作用がより容易にできるという長所がある。
【実施例５】
【００４６】
図１１は、本発明によるシャトルコックの他の例を図示した分解断面図、 図１２は、図１１の結合断面図であり、シャトルコック羽根(20)と固定具(30)の他の締結構成を例示している。
【００４７】
図１１及び図１２をよく見れば、羽根(20)の一側に形成した引掛部材(21)の内部にねじ孔で構成される締結部(23)を形成し、前記締結部(23)と締結されるねじで構成される締結部(34)を外周面に形成した固定具(30)を設けることで、着脱を可能にし、前記固定具(30)の一側に光源固定モジュール(70)を固定する固定溝(31)と重さ減少溝(32)を形成し、他側には取手(33)を突き出した構成を有する。
【００４８】
これのように構成された本考案は、図１１及び図１２のように、まず、固定具(30)のねじ形状の締結部(34)と、羽根(20)のねじ孔形状で構成される締結部(23)と互いにねじ締結する固定原理を有する。勿論、これらの締結解除の原理は前記の逆動作で行うことで理解できる。
【００４９】
したがって、第１乃至第４実施例と区別される構成、すなわち、羽根(20)の隔壁(60)を省略し、固定具(30)の一端を拡張された直径を有する形態で製造するが、重さ減少溝(32)を構成することにより、重量の増加を防止できるように構成したので、より堅固な締結作用をなすことができるという長所がある。
【実施例６】
【００５０】
図１３は、本発明によるシャトルコックのまた他の例を図示した分解断面図、図１４は、図１３の結合断面図で、シンプルで容易な製造が可能な形態の固定具(30)を形成する一方、前述の実施例１乃至４の隔壁(60)中、頭部(40)側と対向する部位面を下方に延長して排気孔(22)を構成するが、前記排気孔(22)の内径上に雌ねじが形成された締結部(23)と、ここに対応する前記固定具(30)の外径上に雄ねじで構成される締結部(34)を形成し、ややもすると破損しやすい羽根(20)の締結部(34)を補強した形態のものを例示している。
【００５１】
したがって、より堅固な締結力を維持できることは勿論、耐久性を大幅に改善できるという利点がある。
【実施例７】
【００５２】
図１５は、本発明によるシャトルコックのまた他の例を図示した分解断面図、図１６は、図１５の結合断面図であり、前述の「実施例６」を借りて使用するが、シャトルコック羽根の隔壁(60)上に一定の間隔で多数の通孔(61)を形成することで、前述の実施例６の軽量化を図った構成を例示している。
【００５３】
望ましくは、前述の「実施例２」及び「実施例３」に開始されたスクラッチパターン(80)は、固定具(30)のバッテリー(51)と隣接する部位面から取手の末端部に向けて次第に密に構成し、光源(50)から入射される光が羽根(20)の後方、及び側方に均一な照度として発光を呈するように構成することが望ましい。また、前記固定具(30)の取手(33)は、着脱を円滑にするために左右に突出させて、その外部は滑り防止のために縦にきめを形成することも可能であり、前述のスクラッチパターン(80)を形成するにおいて、上のような効果を得ることができるように構成することも可能である。
【００５４】
これといっしょに、本発明による発光器(70)、及び前記発光器(70)を備えるシトルコックはいろいろ変形して行うことができる。すなわち、実施例１乃至実施例７の特定構成物を互いに選択的に組み合わせて構成することもでき、本発明では記載の便宜上、普及型シャトルコックに限定して説明したが、競技用シャトルコックも本発明のように構成できるので、これも本発明の技術の範囲内にあると言える。
【産業上の利用可能性】
【００５５】
以上のように、本発明による発光器、及び前記発光器が適用されたシャトルコックは、光源とバッテリーなどで構成される発光器が通常のシャトルコックにも締結適用可能なので、別途の購入費用がかからないという長所があり、本発明による発光器はシャトルコックと着脱ができるようになっているので、切り替えなどの維持補修が容易という利点がある。
【００５６】
また、シャトルコックのいろいろな角度からも見られるようにその視認性を高めることができ、印刷回路基板などが必要ないので、消費電力の低減は勿論、従来の技術と対比して少ない重量と体積で実現することができ、特に簡単な構成になっているので、製造原価を大幅に引き下げることができる長所がある。これといっしょに、前述のいろいろな実施例によって多様な用途、すなわち、使用対象者の性別、年齢別及び気候に区分して耐久性、飛距離などを考慮して製造できることはもちろん、このように分けて製造されたシャトルコックの同一構成物に対しては、同じ規格として製造して本発明によるシャトルコックなら、互いに組み合わせて締結できるようにし、使用者の便宜性などを改善することができ、効果がある非常に有用な発明である。
【図面の簡単な説明】
【００５７】
【図１】通常の普及型シャトルコックの分解断面図。
【図２】本発明によるシャトルコックの分解斜視図。
【図３】本発明によるシャトルコックの結合断面図。
【図４】本発明による発光器の分解斜視図。
【図５】図４のA-A'線断面図。
【図６】本発明による発光器の他の例を図示した分解斜視図。
【図７】図６のB-B'線断面図。
【図８】本発明による固定具の変形例の斜視図。
【図９】本発明による固定具のまた他の変形例を図示した斜視図。
【図１０】図９の固定具が締結された状態の部分拡大断面図、及び固定具が装着されるための本発明によるシャトルコックの後面図。
【図１１】本発明によるシャトルコックの他の例を図示した分解断面図。
【図１２】図１１の結合断面図。
【図１３】本発明によるシャトルコックのまた他の例を図示した分解断面図。
【図１４】図１３の結合断面図。
【図１５】本発明によるシャトルコックのまた他の例を図示した分解断面図。
【図１６】図１５の結合断面図。
【図１】
2007521083.tif 000003
【図２】
2007521083.tif 000004
【図３】
2007521083.tif 000005
【図４】
2007521083.tif 000006
【図５】
2007521083.tif 000007
【図６】
2007521083.tif 000008
【図７】
2007521083.tif 000009
【図８】
2007521083.tif 000010
【図９】
2007521083.tif 000011
【図１０】
2007521083.tif 000012
【図１１】
2007521083.tif 000013
【図１２】
2007521083.tif 000014
【図１３】
2007521083.tif 000015
【図１４】
2007521083.tif 000016
【図１５】
2007521083.tif 000017
【図１６】
2007521083.tif 000018
【国際調査報告】
2007521083.tif 000019
2007521083.tif 000020